(57)【特許請求の範囲】
【請求項１】
撮影装置により撮影とともに少なくとも撮影位置を一義的に特定する撮影位置情報，撮影レンズの焦点距離情報，撮影時の方位情報を記録した記録媒体に基づき、撮影した画像を記録媒体又は表示媒体に記録または表示する画像再現装置であって前記撮影装置とは別体で設けられる画像再現装置において、
前記撮影位置情報と撮影地名とを関連づけた位置情報データベースを用いて、前記撮影位置情報から撮影地名を決定する手段と、前記撮影レンズの焦点距離情報，撮影時の方位情報から被写体主題を特定する手段と、求めた撮影地名と被写体主題との一方または両方を再現画像とともに記録または表示する手段とを備え、
前記位置情報データベースは、特定エリアを指定して、このエリアから望むことができる主要な被写体を被写体主題としてその方位情報及び前記撮影位置情報とともに主題決定スポットとして登録してあり、前記被写体主題を特定する手段は、前記撮影位置情報に基づき前記位置情報データベースから主題決定スポットか否かを判定し、主題決定スポットであるときには、撮影レンズの焦点距離情報及び撮影時方位情報に基づき前記位置情報データベースから対応する被写体主題を決定することを特徴とする画像再現装置。
【請求項２】
撮影装置により撮影とともに少なくとも撮影位置を一義的に特定する撮影位置情報，撮影レンズの焦点距離情報，撮影時の方位仰角情報を記録した記録媒体に基づき撮影した画像を記録媒体又は表示媒体に記録または表示する画像再現装置であって前記撮影装置とは別体で設けられる画像再現装置において、
前記撮影位置情報と撮影地名とを関連づけた位置情報データベースを用いて、前記撮影位置情報から撮影地名を決定する手段と、前記撮影レンズの焦点距離情報，撮影時の方位仰角情報から被写体主題を特定する手段と、求めた撮影地名と被写体主題との一方または両方を再現画像とともに記録または表示する手段とを備え、
前記位置情報データベースは、特定エリアを指定して、このエリアから望むことができる主要な被写体を被写体主題としてその方位仰角情報及び前記撮影位置情報とともに主題決定スポットとして登録してあり、前記被写体主題を特定する手段は、前記撮影位置情報に基づき前記位置情報データベースから主題決定スポットか否かを判定し、主題決定スポットであるときには、撮影レンズの焦点距離情報及び撮影時方位仰角情報に基づき前記位置情報データベースから対応する被写体主題を決定することを特徴とする画像再現装置。
【請求項３】
前記撮影位置情報、撮影日時情報及び撮影時方位情報に基づき撮影時の太陽の位置を特定して、この撮影時太陽位置情報と撮影輝度情報とから逆光撮影か否かを判定し、撮影した画像の濃度，色バランス補正を行うことを特徴とする請求項１または２記載の画像再現装置。
【発明の詳細な説明】
【０００１】
【発明の属する技術分野】
本発明は、撮影装置により撮影位置を一義的に特定する撮影位置情報，撮影時の方位情報や方位仰角情報などが記録された記録媒体を用いて画像を再現する際に、撮影地名や被写体主題などを再現画像とともに表示または記録するようにした画像再現装置に関するものである。
【０００２】
【従来の技術】
撮影の際に、写真フイルムに、光源情報，日中シンクロ情報，撮影意図情報などの撮影情報を記録するようにしたカメラやこれを用いて写真プリントする方法などが提案されている（例えば特願平４−１１３３４７号公報）。また、人工衛星からの信号に基づいて現在位置を判定するグローバルポジショニングシステム（ＧＰＳ）機能を有し、写真を撮影する際に日時や場所も一緒に記録するＧＰＳ内蔵カメラも提案されている（例えば特開平７−６４１６９号公報）。
【０００３】
上記各種撮影情報を記録するカメラを用いることにより、各種撮影情報を活用してカメラの機能と感光材料の性能とを十分に発揮させた高品質プリントが得られるようになる。また、上記ＧＰＳ内蔵カメラでは正確な撮影地名が撮影の際に記録され、写真プリントの際に撮影地名が合成されたプリント写真が得られるようになる。
【０００４】
【発明が解決しようとする課題】
上記ＧＰＳ内蔵カメラでは、ＧＰＳ機能から得られた緯度・経度情報に基づき、予め登録してある撮影地名を地理データベースから検索して、該当する撮影地名をカメラの表示装置に表示する。そして、この内容でよい場合に、所定のスイッチを操作することにより、撮影地名や撮影日時等の情報が記録されることになる。したがって、カメラ側に緯度・経度情報とこれに対応する撮影地名を関連づけた膨大な地理データベースを記憶しておく必要があり、必要とする記憶容量は膨大なものとなる。このため大容量の記憶装置が必要になるという問題がある。また、上記ＧＰＳ内蔵カメラでは撮影地名を記憶するものであるから、撮影位置データを露光制御の補助や被写体主題の特定等に有効に利用することができないという問題がある。
【０００５】
本発明は、撮影装置側で大容量の記憶容量を用いることなく、しかも、ＧＰＳ機能に基づく撮影位置情報を画像とともに記録した記録媒体を用いて、撮影した画面を再現する際に、撮影地名、被写体主題や、撮影の際の太陽光の位置などを特定することができるようにした画像再現装置を提供することを目的とする。
【０００６】
【課題を解決するための手段】
上記目的を達成するために、本発明の画像再現装置は、撮影装置により撮影とともに少なくとも撮影位置を一義的に特定する撮影位置情報，撮影レンズの焦点距離情報，撮影時の方位情報を記録した記録媒体に基づき、撮影した画像を記録媒体又は表示媒体に記録または表示する画像再現装置であって前記撮影装置とは別体で設けられる画像再現装置において、前記撮影位置情報と撮影地名とを関連づけた位置情報データベースを用いて、前記撮影位置情報から撮影地名を決定する手段と、前記撮影レンズの焦点距離情報，撮影時の方位情報から被写体主題を特定する手段と、求めた撮影地名と被写体主題との一方または両方を再現画像とともに記録または表示する手段とを備え、前記位置情報データベースは、特定エリアを指定して、このエリアから望むことができる主要な被写体を被写体主題としてその方位情報及び前記撮影位置情報とともに主題決定スポットとして登録してあり、前記被写体主題を特定する手段は、前記撮影位置情報に基づき前記位置情報データベースから主題決定スポットか否かを判定し、主題決定スポットであるときには、撮影レンズの焦点距離情報及び撮影時方位情報に基づき前記位置情報データベースから対応する被写体主題を決定するものである。また、本発明の画像再現装置は、被写体主題を特定する際に方位情報の他に撮影仰角情報を用いるようにしたものである。また、前記撮影位置情報、撮影日時情報及び撮影時方位情報に基づき撮影時の太陽の位置を特定して、この撮影時太陽位置情報と撮影輝度情報とから逆光撮影か否かを判定し、撮影した画像の濃度，色バランス補正を行うものである。
【０００７】
撮影の際に、例えばスチルビデオカメラでは、レリーズ操作により被写体画像がイメージエリアセンサにより撮像され、この画像データが例えばＬＳＩカード等のメモリやフロッピィディスクの記録媒体に書き込まれる。また、この画像データの書き込みの他に、ＧＰＳ機能による撮影の際の撮影位置を一義的に特定する撮影位置情報、例えば緯度・経度情報が、他の撮影日時情報や撮影レンズの焦点距離情報、撮影方位情報などとともに、撮影コマに対応させて記録媒体に記録される。撮影した画像を再現する場合、例えばスチルビデオカメラの場合には、まず、プリント対象コマの緯度・経度情報、撮影日時情報、撮影レンズの焦点距離情報、撮影方位仰角情報などが読みだされる。そして、緯度・経度情報に基づき撮影地名が特定される。次に、撮影方位仰角情報と撮影レンズの焦点距離情報から、例えば風景の主題として「富士山」，「北アルプス」などが特定される。これら撮影地名や被写体主題などは、画像データとともにディスプレィに表示される。そして、必要に応じて、カラー感熱プリンタ等のビデオプリンタを用いて、撮影したカラー画像が撮影地名入りで例えばカラー感熱記録材料にプリントされる。この場合には、地名の他に緯度・経度情報に基づき特定した撮影住所などを記録してもよい。また、８ミリビデオカメラで、緯度・経度情報などを記録してもよい。特に、スチルビデオカメラや８ミリビデオカメラの場合に、編集やハードコピィの作製を撮影者が行うことにより、ＧＰＳ機能による撮影位置情報及び撮影方位情報から被写体主題を特定する場合にその特定が容易になる。
【０００８】
【発明の実施の形態】
図１は、フロッピィディスク１０を用いて、画像データとともに各種撮影情報を記録するようにしたスチルビデオカメラ１１と、このスチルビデオカメラ１１で撮像したデータを用いて撮影地名入りの画像をプリントするカラー感熱プリンタ１２とからなる画像再現システムを示す機能ブロック図である。スチルビデオカメラ１１の撮影部２０は周知のように、撮像光学系とカラーイメージエリアセンサとから構成されており、レリーズスイッチ２１の操作により、被写体を撮像して、これを画像メモリ２２に記憶する。また、撮影に際しオートフォーカス機構によって焦点調節が行われる。
【０００９】
撮像部２０及び画像メモリ２２はシステムコントローラ２３によりシーケンス制御される。システムコントローラ２３は周知のマイクロコンピュータから構成されており、レリーズスイッチ２１の操作により各部をシーケンス制御して、撮像を行うとともに、撮像データとともに、各種撮影データをフロッピィディスク１０の磁気記録層に記録するようになっている。図２にシステムコントローラ２３における処理手順のフローチャートを示す。
【００１０】
コード変換部２５には、撮影データ発生部２６，オートデート部２７，ＧＰＳ部２８，撮影方位仰角検出部２９が接続されており、これらにより各種撮影情報が入力される。撮影データ発生部２６は、図示しない各種センサやシステムコントローラ２３から得られた信号により、光源種情報，ストロボ発光情報，撮影レンズの焦点距離情報を発生する。オートデート部２７は、コード変換部２５に撮影日時情報を送る。
【００１１】
ＧＰＳ部２８は撮影位置情報としての緯度・経度情報をコード変換部２５に送る。ＧＰＳ部２８は、周知のように、少なくとも３個の人工衛星からの信号に基づき現在位置を、緯度・経度上の数値として数値データ化する。このＧＰＳ部２８は、車載用のナビゲーションシステムに採用されているものと基本的に同じである。近年このＧＰＳを用いたナビゲーションシステムが普及したことにより、回路の集積化が進んでおり、極めて小型の回路規模でＧＰＳ部２８をカメラに搭載することができるようになってきている。しかも、測定精度も地球上の全ての地点で約２５ｍ程度の判別能力を有しており、この点でも撮影位置を特定するのに好適である。
【００１２】
撮影方位仰角検出部２９は周知のジャイロ機構により構成されている。このジャイロ機構はカメラの向き（方位）及び仰角を検出して、これを撮影の際の撮影方位仰角情報としてコード変換部に送る。
【００１３】
また、コード変換部２５には、システムコントローラ２３から撮影駒数が送られる。コード変換部２５は、内蔵するメモリ２５ａに記憶されている所定のコード作成基準により各撮影駒毎に各種撮影情報を符号化して、これをデータ書込み部３０に送る。データ書込み部３０は、各駒の撮像データと撮影情報の符号化データとを、フロッピィディスクドライブ装置３１に送る。フロッピィディスクドライブ装置３１は、内蔵する磁気記録ヘッドを駆動してフロッピィディスク１０に所定のフォーマットで撮像データ及び撮影情報の符号化データを磁気記録する。なお、各駒の撮像データを記録する毎に撮影情報の符号化データも記録する代わりに、各駒の撮影情報をメモリ２５ａに記憶しておき、全ての撮像が終了した時点で又は撮影情報書込み指令の入力があった時点で、フロッピィディスク１０に撮影情報の符号化データを書き込むようにしてもよい。
【００１４】
また、スチルビデオカメラ１１には、再生部３３が設けられている。再生部３３は、フロッピィディスク１０に書き込んだ撮像データ及び撮影情報の符号化データを再生して、図３に示すように、これらを外部映像出力端子３４，外部コントロール出力端子３５，外部撮影情報出力端子３６を介して、カラー感熱プリンタ１２やパソコン等に出力する。
【００１５】
次に、上記スチルビデオカメラ１１を用いて、カラー感熱プリンタ１２によりハードコピィを作成する方法について説明する。図３に示すように、カラー感熱プリンタ１２には、外部映像入力端子４０が設けられており、この外部映像入力端子４０とスチルビデオカメラ１１の外部映像出力端子３４とが接続される。また、スチルビデオカメラ１１の出力端子３５，３６と、カラー感熱プリンタ１２の入力端子４１，４２とを介して、スチルビデオカメラ１１からコントロール信号及び撮影情報が入力される。
【００１６】
外部映像出力端子３４から送り出されるＮＴＳＣ信号は、カラー感熱プリンタ１２のＹ／Ｃ分離回路４３に取り込まれる。Ｙ／Ｃ分離回路４３は、ＮＴＳＣ信号を輝度信号（Ｙ）と色信号（Ｃ）とに分離し、デコーダ４４に送る。デコーダ４４は、輝度信号（Ｙ）と色信号（Ｃ）とを赤（Ｒ），緑（Ｇ），青（Ｂ）の３原色信号に変換し、Ａ／Ｄ変換器４６とセレクタ４７とに送る。
【００１７】
セレクタ４７は、通常再生モードでは端子（ａ）側にセットされ、フリーズモードでは端子（ｂ）側にセットされる。セレクタ４７が端子（ａ）側にセットされると、画像データはエンコーダ４８を介して外部映像出力端子４９に送り出され、これに接続されたカラーモニタ５０に再生中のスチルビデオ画像が表示される。フリーズモードでは、Ａ／Ｄ変換器４６で各色の色信号が量子化され、例えば階調数６４のデジタル信号に変換された後、フレームメモリ５１に書き込まれる。そして、この画像データがＤ／Ａ変換器５２及び端子（ｂ）側にセットされたセレクタ４７を介してカラーモニタ５０に送られる。前記フレームメモリ５１は、３色の画像データをそれぞれに独立に１フレームずつ記憶する３つのメモリ部から構成されている。
【００１８】
コントローラ５３は、通常のプリント時には３色のうち１色分の画像データをフレームメモリ５１から順次読み出し、これを画像処理部５５に送る。画像処理部５５は、色補正，濃度補正，雑音除去，輪郭強調などの各処理を行って、この処理後の画像データをプリント用バッファメモリ５６に書き込む。
【００１９】
画像処理部５５では、周知のマトリクス演算式を用いて色相補正を行う他に、Ｒ，Ｇ，Ｂからシアン（Ｃ），マゼンタ（Ｍ），イエロー（Ｙ）への色変換も行う。この色相補正により、カラー感熱記録材料５７の分光特性と、スチルビデオカメラ１１の分光感度との違いが補正される。また、画像処理部５５では、ガンマ補正，コントラスト補正等の階調補正が行われ、これにより、撮像系の被写体の刺激値が濃度信号に変換されるとともに、カラー感熱記録材料５７に応じた適正な階調度を持つようにされる。また、画像処理部５５は、周知のように、線型フイルタリング回路や論理フイルタリング回路を用いて、雑音除去のための重みつき平均などの演算や、境界をぼかさない雑音除去である中間値フイルタリング等を行う。更に、周知の輪郭強調演算式に基づき、対象とする画素と、この周囲にある画素との画像データとにより、輪郭強調処理も行う。
【００２０】
コントローラ５３は周知のマイクロコンピュータからなり、キーボード６０とディスプレィ６１とが接続されている。これにより、各種モードの設定や入力が行えるようになっている。
【００２１】
スチルビデオカメラ１１からの撮影情報は、端子３５，４１を介してコントローラ５３に送られる。コントローラ５３は、撮影情報の内、撮影日時情報、緯度・経度情報及び撮影方位仰角情報を地名検索部６５に送る。地名検索部６５は、緯度・経度情報から、撮影位置を特定する。この撮影位置の特定は、緯度・経度情報と地名とを関連ずけた位置情報データベースを用いて行われる。位置情報データベースは、ＣＤ−ＲＯＭ６６に記憶されて提供される。このため、地名検索部６５にはＣＤ−ＲＯＭドライブ装置６７が接続されている。そして、緯度・経度情報により一義的に特定される地点から、この地点の属する地名が検索される。緯度・経度情報と地名との関連づけにおいて、行政上の住所を用いる他に、著名な観光スポットや、神社仏閣その他の建築物など（例えば「軽井沢」，「東京タワー」など）が緯度・経度情報から検索されるようにすることが好ましい。検索された地名データは、コントローラ５３からの撮影日時情報とともに、画像合成部６８に送られる。
【００２２】
画像合成部６８は、地名及び撮影日時を表す文字像をビットマップ展開して、これをフレームメモリ５０の文字データ書込みエリアに書き込む。これにより、スチルビデオカメラ１１からの画像と、撮影位置情報等の文字とを画像合成する。この合成画像は、カラーモニタ５０で確認することができる。
【００２３】
プリント用バッファメモリ５６からの画像データは１ラインずつラインメモリ７０に書き込まれる。ヘッド駆動部７１はこのラインメモリ７１からの１ライン分の画像データに基づいてサーマルヘッド７２を駆動する。サーマルヘッド７２は周知のように、多数の発熱素子７２ａがライン状に配列されており、カラー感熱記録材料５７を加熱して、三色面順次記録を行う。図４は、このようにして作製されたハードコピィ７５の一例を示す。このハードコピィ７５には、画像７６と共に撮影日時及び撮影地名の文字像７７とが記録されている。図５は、カラー感熱プリンタ１２における処理手順を示すフローチャートである。
【００２４】
図６に示すように、カラー感熱記録材料５７は、支持体８０の上に、シアン感熱発色層８１，マゼンタ感熱発色層８２，イエロー感熱発色層８３，保護層８４が順次層設されている。支持体８０としては、不透明なコート紙又はプラスチックフイルムが用いられる。シアン感熱発色層８１は、電子供与性染料前駆体と電子受容性化合物を主成分として含有し、加熱されたときにシアンに発色する。マゼンタ感熱発色層８２としては、最大吸収波長が約３６５ｎｍであるジアゾニウム塩化合物と、これに熱反応してマゼンタに発色するカプラーとを含有している。このマゼンタ感熱発色層８２は、熱記録後に３６５ｎｍ付近の紫外線を照射すると、未発色のジアゾニウム塩化合物が光分解して発色能力が失われる。イエロー感熱発色層８３は、最大吸収波長が約４２０ｎｍであるジアゾニウム塩化合物と、これと熱反応してイエローに発色するカプラーとを含有している。このイエロー感熱発色層８３は、４２０ｎｍ付近の紫外線を照射すると光定着して発色能力が失われる。なお、光定着用の紫外線ランプは図示を省略してある。
【００２５】
なお、撮影データの緯度・経度情報を用いて撮影地名を特定する他に、地名検索部６５及び被写体主題特定部８８を用いて、図７に示すような処理手順により被写体主題も自動的に特定するようにしてもよい。この場合には、撮影データとして、緯度・経度情報の他に、撮影レンズの焦点距離情報，撮影方位仰角情報を利用する。そして、地理データベースの特定エリアを指定して、このエリアから望むことができる主要な被写体、例えは山，湖などをその方位仰角情報とともに登録しておく。先ず、被写体主題を特定することが可能な撮影場所か否かが緯度・経度情報から判定される。主題決定スポットに該当する場合には次のステップに進み、撮影レンズの焦点距離が所定の範囲にあるか否かが判定される。例えば、主題決定スポットに北方向に被写体主題となる山などが登録されている場合には、撮影レンズの焦点距離が無限大のときに、次のステップに進み、撮影方位及び仰角が所定範囲内か否かが判定される。そして、撮影方位が北を示す場合には、その山の名前、例えば「富士山」，「北アルプス」などが被写体主題として決定される。また、被写体主題のみならず、撮影日と撮影地名と組み合わせてもよく、例えば、「平成７年８月２０日に北軽井沢から浅間山を望む」などの文を表す文字像がフレームメモリ５１にビットマップ展開されて書き込まれる。また、各ステップで上記範囲内に該当しない場合には、撮影地名のみが決定される。撮影方位仰角情報としては、例えば北を「０」として、東，南，西の順に３６０度表示することにより方位が決定され、更にカメラの水平方向に対する傾き情報が仰角として決定される。このように撮影方位及び仰角を用いて被写体主題を特定するため特定精度を上げることができる。なお、被写体主題の特定は、撮影方位仰角情報の他に、特定精度は低下するものの、撮影方位情報のみ、又は撮影レンズの焦点距離情報と撮影方位情報を用いて特定してもよい。また、撮影時に高度情報を記録しておき、被写体主題の特定する際に高度情報も併せて用いるようにすると、被写体主題の特定精度をより一層上げることができる。
【００２６】
このように、スチルビデオカメラ１１及びビデオプリンタ１２を用いた撮像及び画像再現システムによれば、撮影位置や撮影日時等をその都度入力したり確認したりする必要が無くなり、即時性が要求される報道用として好適なものとなる。この場合に、カメラマンがビデオプリンタを操作することで、前記被写体主題の特定をより的確に行うことができるようになる。また、ビデオプリンタにおいて、撮影日時や場所を示す文字の合成が写真プリンタ等に比べて容易であり、より有効なものとなる。
【００２７】
前記地理データベースは、一般的な地名や行政上の住所に限らず、業務において特別に準備されているデータベースと組み合わせて用いるようにすることで、広汎な利用が可能になる。例えば、電力会社が有している高圧鉄塔の位置情報を登録したデータベースを用いることにより、メンテナンス用に撮影した鉄塔写真の識別を容易に行うことができる。更に、これに撮影方位仰角情報や高度情報などを用いることで、どの方向からの鉄塔写真かも識別することができ、よりメンテナンス等の業務が容易になる。
【００２８】
上記実施例ではスチルビデオカメラ１１とカラー感熱プリンタ１２との組み合わせからなるシステムとしたが、この他に、図８に示すような透明磁気記録層を備えた写真フイルムパトローネ９０を用いたカメラ９１、及び図９に示すような写真プリンタ９２に実施してもよい。この場合には、図８に示すようにレリーズボタンの操作によりレリーズスイッチ９３を作動させて、撮影レンズ９４，シャッタ機構９５，駆動部９６を用いて写真フイルム９７の感光乳剤面に被写体画像を露光するとともに、写真フイルム９７の透明磁気記録層に磁気記録ヘッド９８を用いて、撮影情報を磁気記録する。このため、システムコントローラ１００は、オートデート部１０１，ＧＰＳ部１０２，撮影方位仰角検出部１０３，撮影データ発生部１０４，コード変換部１０５，データ書込み部１０６を制御して、撮影日時情報，緯度・経度情報，撮影方位仰角情報，ストロボ発光情報、撮影レンズの焦点距離情報、被写体輝度情報等を撮影情報として透明磁気記録層に磁気記録する。
【００２９】
図９に示すように、写真プリンタ９２では、周知のように、フイルムキャリア１１０にセットされた写真フイルム９７のプリント対象コマを、光質調整された光源部１１１により照明して、この照明された写真フイルム９７のプリント対象コマの画像を焼付レンズ１１２によりカラーペーパー１１３に焼付露光する。光源部１１１は、ランプ１１４と、三色フイルタ１１５，１１６，１１７を焼付光路１１８に挿入して光質調整するフイルタ駆動部１１９と、拡散ボックス１２０とから構成されている。また、周知のように、プリント対象コマを臨む位置にスキャナ１２１が配置されており、このスキャナ１２１はプリント対象コマの各点を三色分解測光する。この測光値は特性値算出部１２２に送られる。特性値算出部１２２は各種特性値を抽出する他に、周知のようにプリント対象コマをシーン分類してこのシーン分類結果に基づき露光補正量を算出する。特性値及び露光補正量は、露光量演算部１２３に送られる、露光量演算部１２３は周知の露光量演算式を用いた焼付露光量を算出し、これをコントローラ１２５に送る。コントローラ１２５はこの焼付露光量に基づき色フイルタ１１５〜１１７の焼付光路１１８への挿入位置を算出し、これをフイルタ駆動部１１９に送る。フイルタ駆動部１１９はフイルタ挿入位置に各色フイルタ１１５〜１１７を挿入し、焼付光の光質を調整する。光質調節した後に、シャッタ駆動部１２６がシャッタ１２７を一定時間開いて、プリント対象コマの画像をカラーペーパー１１３に焼付露光する。
【００３０】
フイルムキャリア１１０には磁気読取りヘッド１３０が設けられており、透明磁気記録層に記録された撮影情報を読み取る。デコーダ１３１は、撮影情報を写真プリンタ９２で利用可能なデータ形式に変換し、これをコントローラ１２５に送る。コントローラ１２５には、ＣＤ−ＲＯＭドライブ装置１３２がセットされており、ＣＤ−ＲＯＭ１３３に記憶された地理データベースを検索して、撮影位置及び必要に応じて被写体主題を特定する。この撮影位置等の特定は、コントローラ１２５に接続されたキーボード１２８及びディスプレィ１２９を操作することにより行われ、特定された撮影位置や撮影日時は、文字焼きコントローラ１３４に送られる。文字焼きコントローラ１３４は文字焼込みヘッド１３５をカラーペーパー１１３の送りに同期させて駆動することにより、撮影位置等の文字をカラーペーパー１１３にライン露光して、文字を焼き込む。また、露光補正データやコマ番号等は、裏印字コントローラ１３６に送られる。裏印字コントローラ１３６は裏印字ヘッド１３７を駆動して周知のようにカラーペーパー１１３の裏面にコマ番号や露光補正データを印字する。写真フイルム９７の画像が焼付露光され、且つ撮影地名等が焼き込まれたカラーペーパー１１３は、ペーパーリザーバ１４０で一定量貯留された後に、ペーパープロセサ１４１で現像処理され、各コマ毎に切断される。これにより図４に示すハードコピィと同じように撮影位置や撮影日時が焼き込まれたプリント写真が作製される。
【００３１】
なお、撮影位置を焼き込む他に、裏印字ヘッド１３７を用いて、図１０に示すようにプリント写真の裏面１４０に、コマ番号１４１や露光補正データ１４２とともに、撮影位置や撮影主題，撮影日時等の文字１４３を印字してもよい。また、上記実施例では、写真フイルム９７の透明磁気記録層に撮影情報を記録するようにしたが、これに代えて、パトローネ９０と一体または別体で設けたＬＳＩメモリやＬＳＩカードに撮影情報を記録してもよい。また、緯度・経度情報をバーコード化して、対応する駒に光学的に記録してもよい。
【００３２】
また、ビデオプリンタとしてカラー感熱プリンタ１２を用いたが、この他に、インクリボンを用いる熱溶融型や熱昇華型の記録方式や、インクジェット方式、レーザービーム方式など各種記録方式のビデオプリンタを用いることができる。また、スチルビデオカメラ１１において、画像データ及び撮影情報は、フロッピィディスク１０に磁気記録する代わりに、ＬＳＩカードなどに電子的に記録するようにしてもよい。
【００３３】
更には、静止画像を記録するスチルビデオカメラの他に、動画像と音声とを記憶するビデオカメラに実施してもよい。この場合には、ビデオデッキに、地名等の検索機能を付加して、撮影地名や撮影日時等を画像合成して、モニターに表示するとよい。また、文字の画像合成の他に、撮影地名や日時を音声合成して、これを対応する画像に記録するようにしてもよい。また、スチルビデオカメラは、デジタル画像データを出力するように構成したものでもよく、この場合には、周知の画像圧縮方式を用いて画像データが記録される。また、撮影位置の特定は、ビデオプリンタに組み込んだものを用いる他に、パソコン等を利用して行ってもよい。
【００３４】
また、写真フイルムを用いたシステムでは、撮影日時情報，撮影位置情報，撮影方位情報から、撮影時の太陽の位置を特定し、この太陽位置情報と撮影輝度情報とから太陽光に対する逆光撮影か否かなどを判定して、撮影した画像の濃度，色バランス補正を行うようにしてもよい。また、上記実施例では、撮影位置情報として、緯度・経度情報を用いたが、この他に撮影場所を一義的に特定できるものであればよく、例えば３次元の極座標データなどを用いてもよい。
【００３５】
【発明の効果】
本発明によれば、ＧＰＳ信号により撮影の際の撮影位置を一義的に特定する撮影位置情報を求め、この撮影位置情報を記録媒体に書き込むようにしたから、撮影装置側で撮影位置情報に基づき地名等の特定を行うことがなく、カメラ側の構成を簡単にすることができる。しかも、撮影位置を一義的に特定することができる撮影位置情報を記録媒体に書き込んでおき、画像再現装置側で、撮影位置情報に基づきデータ処理を行うことができるようになる。したがって、地理データベースの情報量を少なく抑える必要がなく、精度のよい撮影地名の特定が可能になる。
【００３６】
また、撮影情報として、撮影位置情報の他に、撮影方位情報及び撮影レンズの焦点距離情報を用いることで、単なる撮影地名の特定の他に、被写体主題の特定なども可能になる。また、特定の建築物などの位置データを入力した地理データベースを用いることで、撮影位置情報及び撮影方位情報から、写した建築物などの特定、及びその撮影向き等を簡単に知ることができ、撮影の際にメモなどを記入する必要もなく便利になる。更に、撮影方位情報の他に撮影仰角情報を加えることで、被写体主題の特定精度を上げることができるようになる。
【図面の簡単な説明】
【図１】本発明を実施したスチルビデオカメラを示す概略図である。
【図２】同スチルビデオカメラにおける処理手順を示すフローチャートである。
【図３】本発明を実施したカラー感熱プリンタを示す機能ブロック図である。
【図４】ハードコピィの一例を示す正面図である。
【図５】カラー感熱プリンタの処理手順を示すフローチャートである。
【図６】カラー感熱記録材料の層構造を示す概略図である。
【図７】被写体主題を特定する処理手順を示すフローチャートである。
【図８】緯度・経度情報を記録するカメラを示す概略図である。
【図９】撮影位置を焼き込むプリンタプロセサを示す概略図である。
【図１０】同プリンタプロセサで得られたプリント写真の裏面への印字の一例を示す平面図である。
【符号の説明】
１０  フロッピィディスク
１１  スチルビデオカメラ
１２  カラー感熱プリンタ
２０  撮像部
２８  ＧＰＳ部
２９  撮影方位仰角検出部
３０  データ書込み部
３１  フロッピィディスクドライブ装置
３３  再生部
５０  カラーモニタ
５７  カラー感熱記録材料
６７，１３２  ＣＤ−ＲＯＭドライブ装置
６８，１３３  ＣＤ−ＲＯＭ
７２  サーマルヘッド
７５  ハードコピィ
７６  画像
７７  文字像
【図１】
0003844259.tif 000002
【図２】
0003844259.tif 000003
【図３】
0003844259.tif 000004
【図４】
0003844259.tif 000005
【図５】
0003844259.tif 000006
【図６】
0003844259.tif 000007
【図７】
0003844259.tif 000008
【図８】
0003844259.tif 000009
【図９】
0003844259.tif 000010
【図１０】
0003844259.tif 000011